(57)【要約】      （修正有）【課題】シンプルな棒状体に対しても適用することができ、容易に、棒状体と所望の被接続体とを接続させることが可能な、汎用性の高い接続部材を提供する。【解決手段】所定の棒状体に取付けられる接続部材本体１と、接続部材本体に設けられ、棒状体と異なる所定の被接続体が取付けられる取付部２と、接続部材本体を棒状体に固定する固定部３と、を備え、接続部材本体は、別体に構成された第一本体１１及び第二本体１２と、第一本体及び第二本体を分離可能に連結する連結部１３と、を有し、接続部材本体には、第一本体及び第二本体が連結部で連結されることで、棒状体の周囲を囲う挿通孔が形成される。【選択図】図１
0003235136.tif 000002
【実用新案登録請求の範囲】
【請求項１】
所定の棒状体に取付けられる接続部材本体と、前記接続部材本体に設けられ、前記棒状体と異なる所定の被接続体が取付けられる取付部と、前記接続部材本体を前記棒状体に固定する固定部と、を備え、
前記接続部材本体は、別体に構成された第一本体及び第二本体と、前記第一本体及び前記第二本体を分離可能に連結する連結部と、を有し、
前記接続部材本体には、前記第一本体及び前記第二本体が前記連結部で連結されることで、前記棒状体の周囲を囲う挿通孔が形成される、接続部材。
【請求項２】
前記接続部材本体は、その内周面と前記棒状体の外周面の隙間を埋める当接部を有し、
前記当接部は、弾性素材により形成されている、請求項１に記載の接続部材。
【請求項３】
前記当接部は、前記第一本体又は前記第二本体の少なくとも何れか一方に対して、着脱可能に取付けられる、請求項２に記載の接続部材。
【請求項４】
前記連結部は、前記第一本体又は前記第二本体の何れか一方に設けられる嵌合溝と、他方に設けられ、前記嵌合溝に嵌合する嵌合突起と、を含む、請求項１〜３の何れかに記載の接続部材。
【請求項５】
前記嵌合溝は、前記棒状体の延びる方向に沿って延びて、レール状に構成され、
前記嵌合溝及び前記嵌合突起は、前記棒状体の延びる方向に沿って、互いに嵌合摺動する、請求項４に記載の接続部材。
【請求項６】
前記嵌合溝及び前記嵌合突起の何れか一方には、前記嵌合溝及び前記嵌合突起の嵌合摺動動作を制限するストッパー部が設けられている、請求項５に記載の接続部材。
【請求項７】
前記取付部は、前記接続部材本体から突設された突設部と、前記突設部の端部に設けられた取付部本体と、を有し、
前記突設部は、前記棒状体の延びる方向と略垂直方向に突設され、
前記取付部本体には、前記被接続体に取付けられる取付部材が挿通される、取付孔が設けられている、請求項１〜６の何れかに記載の接続部材。
【請求項８】
前記取付部は、前記突設部の湾曲を抑制する補強リブを有する、請求項７に記載の接続部材。
【考案の詳細な説明】
【技術分野】
【０００１】
本考案は、棒状体に取付けられ、この棒状体に他の棒状体や板状体等の被接続体を接続するための、接続部材に関する。
【背景技術】
【０００２】
従来から、棒状体（支柱）と板状体とを連結して構成される物品として、例えば、ホワイトボードや掲示板と言った筆記ボードや、看板、サインボード等が存在する。
【０００３】
上記のような物品に関する発明として、特許文献１には、起立する支柱に比較的大きいサイズのサインボードを安定的に取り付けるのに適した、サインボード取付具が記載されている。
【０００４】
特許文献１に記載のサインボード取付具は、サインボードを起立するベルトパーティションスタンド（支柱構造体）に取り付けるためのサインボード取付具である。
また、このサインボード取付具は、サインボードを支持する支持体と、支持体をベルトパーティションスタンドに係合支持させるための係合手段と、を備えている。
そして、係合手段は、支持体および支柱構造体のうち、いずれか一方に設けられた突起と、他方に設けられた凹部と、を含み、突起および凹部は、上下方向にスライド可能に嵌合して構成されている。
【先行技術文献】
【特許文献】
【０００５】
【特許文献１】特開２０１８−９１１２０号公報
【考案の概要】
【考案が解決しようとする課題】
【０００６】
しかしながら、特許文献１に記載のサインボード取付具は、上記した通り、ベルトパーティションスタンド特有の構造を利用して、支柱構造体に取付けられるものである。
このため、上記構造を有していない、シンプルな支柱構造体に対しては適用できず、汎用性に乏しい、という問題があった。
【０００７】
本考案は上記のような実状に鑑みてなされたものであり、シンプルな棒状体に対しても適用することができ、容易に、棒状体と所望の被接続体とを接続させることが可能な、汎用性の高い接続部材を提供することを課題とする。
【課題を解決するための手段】
【０００８】
上記課題を解決するために、本考案は、所定の棒状体に取付けられる接続部材本体と、前記接続部材本体に設けられ、前記棒状体と異なる所定の被接続体が取付けられる取付部と、前記接続部材本体を前記棒状体に固定する固定部と、を備え、
前記接続部材本体は、別体に構成された第一本体及び第二本体と、前記第一本体及び前記第二本体を分離可能に連結する連結部と、を有し、
前記接続部材本体には、前記第一本体及び前記第二本体が前記連結部で連結されることで、前記棒状体の周囲を囲う挿通孔が形成される。
【０００９】
本考案によれば、分離された第一本体及び第二本体が連結部で連結されることで、接続部材本体に、棒状体の周囲を囲う挿通孔が形成される構成であるため、シンプルな棒状体に対して、誰でも容易に本接続部材を取付けることが可能となる。
【００１０】
即ち、使用者は、第一本体又は第二本体の何れか一方を所定の棒状体の周囲に配置した後、他方を連結部により一方と連結させ、これらを固定部により棒状体に固定する作業のみで、本接続部材をシンプルな棒状体に取付けることが可能となる。
そして、使用者は、取付部に被接続体を取付けることで、本接続部材を介して、容易に棒状体と被接続体とを接続することが可能となる。
【００１１】
このように、本接続部材によれば、棒状体と被接続体との接続にあたって、棒状体側が、被接続体を接続するための特有の構造を有している必要がない。
また、第一本体と第二本体とが、連結部により分離可能に連結して挿通孔を形成することで、本接続部材の取付けに際して、本接続部材を棒状体の端部から挿通させるような作業は不要で、使用者は、棒状体の所望の箇所に、直接取付けることが可能となる。
【００１２】
本考案の好ましい形態では、前記接続部材本体は、その内周面と前記棒状体の外周面の隙間を埋める当接部を有し、前記当接部は、弾性素材により形成されている。
【００１３】
このような構成とすることで、当接部の摩擦力により、接続部材本体を、棒状体に安定的に位置決めすることが可能となる。
【００１４】
本考案の好ましい形態では、前記当接部は、前記第一本体又は前記第二本体の少なくとも何れか一方に対して、着脱可能に取付けられる。
【００１５】
このような構成とすることで、当接部が摩耗により劣化した場合でも、容易に新しい当接部に交換することが可能となる。
【００１６】
本考案の好ましい形態では、前記連結部は、前記第一本体又は前記第二本体の何れか一方に設けられる嵌合溝と、他方に設けられ、前記嵌合溝に嵌合する嵌合突起と、を含む。
【００１７】
このような構成とすることで、第一本体と第二本体との連結状態を安定的に維持することが可能となる。
【００１８】
本考案の好ましい形態では、前記嵌合溝は、前記棒状体の延びる方向に沿って延びて、レール状に構成され、前記嵌合溝及び前記嵌合突起は、前記棒状体の延びる方向に沿って、互いに嵌合摺動する。
【００１９】
このような構成とすることで、より少ない力でもって、容易に第一本体と第二本体とを連結することが可能となる。
【００２０】
本考案の好ましい形態では、前記嵌合溝及び前記嵌合突起の何れか一方には、前記嵌合溝及び前記嵌合突起の嵌合摺動動作を制限するストッパー部が設けられている。
【００２１】
このような構成とすることで、本接続部材を、上下方向に延びる棒状体に設ける場合に、棒状体に対する本接続部材の取付け状態の安定性を向上させることができる。
即ち、例えば、ストッパー部が上端となるように本接続部材を取付けることで、第一本体と第二本体の内、ストッパー部が設けられている一方が、ストッパー部を介して他方に載置されている状態となり、この一方の下方への摺動動作が抑制される。
また、例えば、ストッパー部が下端となるように本接続部材を取付けることで、第一本体と第二本体の内、ストッパー部が設けられていない一方が、ストッパー部を介して他方に載置されている状態となり、この一方の下方への摺動動作が抑制される。
【００２２】
本考案の好ましい形態では、前記取付部は、前記接続部材本体から突設された突設部と、前記突設部の端部に設けられた取付部本体と、を有し、前記突設部は、前記棒状体の延びる方向と略垂直方向に突設され、前記取付部本体には、前記被接続体に取付けられる取付部材が挿通される、取付孔が設けられている。
【００２３】
このような構成とすることで、取付部材が棒状体に干渉することなく、取付部に被接続体を取付ける作業が容易となる。
【００２４】
本考案の好ましい形態では、前記取付部は、前記突設部の湾曲を抑制する補強リブを含む。
【００２５】
このような構成とすることで、突設部の強度を高め、取付部と被接続体との取付け状態を安定的に維持することが可能となる。
【考案の効果】
【００２６】
本考案によれば、シンプルな棒状体に対しても適用することができ、容易に、棒状体と所望の被接続体とを接続させることが可能な、汎用性の高い接続部材を提供することができる。
【図面の簡単な説明】
【００２７】
【図１】本考案の実施形態に係る接続部材を示す分解斜視図である。
【図２】本考案の実施形態に係る接続部材を示す分解斜視図である。
【図３】本考案の実施形態に係る接続部材の棒状体への取付け方を示す図である。
【図４】本考案の実施形態に係る接続部材の棒状体への取付け方を示す図である。
【図５】本考案の実施形態に係る被接続体の接続部材への取付け方を示す図である。
【図６】本考案の実施形態に係る接続部材を用いて、棒状体と被接続体とを接続した状態の全体斜視図である。
【考案を実施するための形態】
【００２８】
以下、図面を用いて、本考案の実施形態に係る接続部材について説明する。
なお、以下に示す実施形態は本考案の一例であり、本考案を以下の実施形態に限定するものではない。
また、これらの図において、符号Ｘは、本実施形態に係る接続部材を示す。
また、本実施形態では、接続部材を、上下方向に延びる棒状体に適用する例について、説明する。
【００２９】
図１及び図２に示すように、接続部材Ｘは、所定の棒状体Ｒ（図３等参照）に取付けられる接続部材本体１と、接続部材本体１に設けられ、棒状体Ｒと異なる所定の被接続体Ｂ（図５等参照）が取付けられる取付部２と、接続部材本体１を棒状体Ｒに固定する固定部３と、を備えている。
なお、図２は、図１に示す分解斜視図を矢印方向から、且つ上下を反転させて見た分解斜視図である。
【００３０】
接続部材本体１は、別体に構成された第一本体１１及び第二本体１２と、第一本体１１及び第二本体１２を分離可能に連結する連結部１３と、接続部材本体１の内周面と棒状体Ｒの外周面の隙間を埋める当接部１４と、を有している。
【００３１】
第一本体１１は、上下方向に所定の高さを有する３つの側部構成体１１ａ〜１１ｃにより、平面視で略コ字状に概略構成されている。
また、第一本体１１には、特に図２に示すように、その底面から上方に向かって所定の高さくり抜かれることで構成された、一対の空洞部ｃが設けられている。
【００３２】
側部構成体１１ａ、１１ｂの端部には、連結部１３として、一対の嵌合突起１３ａが設けられている。
側部構成体１１ｃには、当接部１４が着脱可能に嵌合される、略円形の着座溝ｇが上下に間隔を空けて一対設けられている。
また、各着座溝ｇには、後述する各傘状突出部ｊが嵌合される、段付きの貫通孔ｐが形成されている。
なお、第一本体１１は、樹脂素材等、一定の強度を有する軽量素材により形成されることが好ましい。
【００３３】
第二本体１２は、上下方向に所定の高さを有する一つの側部構成体１２ａと、側部構成体１２ａの両端から突設された、略薄板状体の補助突設部１２ｂと、により構成されている。
また、第二本体１２には、特に図２に示すように、側部構成体１２ａの内側面から外側面に向かって所定の長さくり抜かれることで構成された、一対の空洞部ｃが設けられている。
【００３４】
側部構成体１２ａの内側面には、連結部１３として、一対の嵌合溝１３ｂが設けられている。
また、側部構成体１２ａの外側面は、その略中央が、上下方向全長に亘ってやや突起して構成されている。
なお、第二本体１２も、第一本体１１と同様に、樹脂素材等、一定の強度を有する軽量素材により形成されることが好ましい。
【００３５】
連結部１３は、上記したように、第一本体１１に設けられた一対の嵌合突起１３ａと、第二本体１２に設けられた一対の嵌合溝１３ｂと、を含む。
なお、連結部１３は、各嵌合溝１３ｂが第二本体１２に設けられ、各嵌合突起１３ａが第一本体１１に設けられることで構成されていても良い。
【００３６】
各嵌合突起１３ａは、特に図２に示すように、それぞれ、上下方向に延びて、所定の高さを有する柱状体として構成され、略中央部に括れｋが形成されることで、底面視で略Ｈ字状を呈している。
また、各嵌合突起１３ａの上端には、特に図１に示すように、それぞれ、嵌合突起の嵌合摺動動作を制限するストッパー部Ｗが設けられている。
【００３７】
各ストッパー部Ｗは、側部構成体１１ａ及び１１ｂの上端から各嵌合突起１３ａ方向に突設して構成され、各括れｋにより形成された上下方向の空間を、上端において塞ぐようにして設けられている。
【００３８】
各嵌合溝１３ｂは、特に図２に示すように、それぞれ、上下方向に延びて、各嵌合突起１３ａと略同一の高さを有する略四角筒状体であり、上下方向全長に亘って一本のスリットｓが形成されることで、底面視で略Ｃ字状を呈すレール状に構成されている。
【００３９】
このように構成された各嵌合突起１３ａ及び各嵌合溝１３ｂによれば、使用者は、各括れｋを各スリットｓに挿通させることで、各嵌合突起１３ａを上下方向に沿って嵌合摺動させることができる。
即ち、第一本体１１及び第二本体１２は、各嵌合突起１３ａ及び各嵌合溝１３ｂにより、互いに摺動可能に連結される。
【００４０】
当接部１４は、全体がＥＶＡ等の任意の弾性素材により形成され、各着座溝ｇに嵌合する一対の略円盤状の部材である。
また、各当接部１４には、特に図２に示すように、各着座溝ｇ（及び各貫通孔ｐ）に向かって突出する傘状突出部ｊが設けられている。
なお、各傘状突出部ｊも、各当接部１４と同様に、全体がＥＶＡ等の任意の弾性素材により形成されている。
【００４１】
これにより、使用者は、各傘状突出部ｊを各貫通孔ｐに押し込むようにして挿通させた上で、各当接部１４を各着座溝ｇに嵌合さることができる。
なお、各当接部１４を各着座溝ｇから取外す場合、使用者は、外側面から、各貫通孔ｐに挿通されている各傘状突出部ｊを押圧すれば良い。
【００４２】
取付部２は、第一本体１１から突設された突設部２１と、突設部２１の端部に設けられた取付部本体２２と、突設部２１の湾曲を抑制する補強リブ２３と、を有している。
また、取付部２も、第一本体１１や第二本体１２と同様に、樹脂素材等、一定の強度を有する軽量素材により形成されることが好ましく、本実施形態においては、第一本体１１と一体形成されている。
【００４３】
突設部２１は、棒状体Ｒの延びる方向と略垂直方向、且つ側部構成体１１ｃの面方向と略平行方向に突設された、略薄板状体である。
また、突設部２１の外側面と側部構成体１１ｃの外側面とは、滑らかに連接している。
【００４４】
取付部本体２２は、突設部２１よりもやや厚めに形成された、略長方形状の板状体であり、その外側面と突設部２１の外側面とは、滑らかに連接している。
また、取付部本体２２には、被接続体Ｂに取付けられる取付部材Ｃ（図７等参照）が挿通される、取付孔２２ａが、上下方向に間隔を空けて一対設けられている。
なお、本実施形態では、取付孔２２ａの内側面側に、取付部材Ｃを構成するナットＣ２（図５参照）が嵌合される、ナット嵌合溝ｔが形成されているが、取付孔２２ａの内周面に雌ねじが形成されていても良い。
【００４５】
補強リブ２３は、上下方向をその厚さ方向とする、略台形状の略薄板状体であり、取付部本体２２と側部構成体１１ａとの間に設けられている。
また、補強リブ２３の各端面は、突設部２１、取付部本体２２及び側部構成体１１ａ、それぞれに連接している。
【００４６】
固定部３は、側部構成体１２ａの略中央に設けられた貫通孔３１と、貫通孔３１に挿通される固定ハンドル部３２と、固定ハンドル部３２と螺合するナット３３と、を有している。
【００４７】
貫通孔３１は、本実施形態においては、シンプルな円孔であるが、内部に固定ハンドル部３２と螺合する雌ねじを形成しておき、ナット３３を用いずに、固定部３が構成されていても良い。
【００４８】
固定ハンドル部３２は、ナット３３と螺号する雄ねじ部３２ａと、使用が把持する略円柱状のハンドル部３２ｂと、により構成されている。
【００４９】
ナット３３は、貫通孔３１の内側面側に形成されたナット嵌合溝ｔに嵌合される。
【００５０】
以下、図３及び図４を用いて、接続部材Ｘの棒状体Ｒへの取付け方について説明する。
なお、本実施形態における棒状体Ｒは、略四角柱状体である。
【００５１】
まず、使用者は、各側部構成体１１ａ〜１１ｃで棒状体Ｒの三側面を囲うようにして、第一本体１１（及び取付部２）を棒状体Ｒに取付ける。
このとき、各当接部１４が、棒状体Ｒの一側面に当接する。
【００５２】
次に、使用者は、連結部１３により、第一本体１１と第二本体１２とを連結する（矢印ａ）。
即ち、使用者は、各嵌合突起１３ａの括れｋに、各嵌合溝１３ｂの下端からスリットｓに挿通させた後、第二本体１２を上方向に摺動させ、各嵌合溝１３ｂの上端を各ストッパー部Ｗに当接させる。
【００５３】
これにより、接続部材本体１により挿通孔Ｈ（図４参照）が形成され、挿通孔Ｈに棒状体Ｒが挿通されている状態となる。
なお、このとき、側部構成体１２ａのナット嵌合溝ｔには、ナット３３が嵌合された状態となされている。
【００５４】
次に、使用者は、貫通孔３１に雄ねじ部３２ａを挿通し（矢印ｂ）、ハンドル部３２ｂを回動させる。
【００５５】
これにより、棒状体Ｒが側部構成体１１ｃの内側面に押圧され、図４に示すように、接続部材本体１（及び取付部２）が、棒状体Ｒに固定される。
【００５６】
なお、図３及び図４では、接続部材Ｘが、ストッパー部Ｗが嵌合突起１３ａの上端に位置する態様で、棒状体Ｒに取付られる例を示したが、その上下を反転させた状態（即ち、ストッパー部Ｗが嵌合溝１３ｂの下端に位置する態様）で、棒状体Ｒに取付けられても良い。
【００５７】
以下、図５を用いて、被接続体Ｂの接続部材Ｘへの取付け方について説明する。
なお、本実施形態における被接続体Ｂは、略長方形状の板状体であり、一対のネジＣ１及び一対のナットＣ２から構成される取付部材Ｃを用いて取付けられる。
また、使用者は、被接続体Ｂに、一対の取付孔２２ａと連通する一対の連通孔ｈを、予め形成しておくことが好ましい。或いは、被接続体Ｂとして、縦横均一に複数の孔が設けられた、市販の有孔パネルを用いても良い。
【００５８】
使用者は、図５に示すように、被接続体Ｂの一側面を、取付部２（側部構成体１１ｃ）の外側面に当接させ（矢印ｃ）、各取付孔２２ａと各連通孔ｈとを連通させる。
【００５９】
次に、使用者は、各ナットＣ２を、ナット嵌合溝ｔに嵌合させ（矢印ｄ）、各ネジＣ１を、各取付孔２２ａ及び各連通孔ｈに挿通させる（矢印ｅ）ことで、各ネジＣ１と各ナットＣ２とを螺合させる。
なお、取付部材Ｃは、ネジＣ１とナットＣ２によるものに限られず、例えば、取付孔２２ａを用いずに取付可能である接着剤や、釘等であっても良い。
【００６０】
これにより、被接続体Ｂが、接続部材Ｘに取付けられ、接続部材Ｘを介して、棒状体Ｒと被接続体Ｂとが接続される。
【００６１】
なお、被接続体Ｂのサイズ感によって、一つの接続部材Ｘのみで安定的な接続態様の保持が困難な場合には、そのサイズ感に応じて、当然に複数の接続部材Ｘを用いることができる。
【００６２】
即ち、本実施形態に示す被接続体Ｂのように、ある程度の面積を有する板状体の場合には、例えば、図６に示すように、一つの棒状体Ｒに間隔を空けて二つの接続部材Ｘを取付け、この棒状体Ｒを二つ用いて、各棒状体Ｒと被接続体Ｂとを接続することができる。
【００６３】
また、一つの棒状体Ｒに取付けられる接続部材Ｘは、三つ以上であっても良いし、被接続体Ｂと接続する棒状体Ｒも、一つのみや三つ以上であっても良く、被接続体Ｂのサイズ感等に応じて、柔軟に変更可能である。
【００６４】
本実施形態によれば、棒状体Ｒが、被接続体Ｂを接続するための特有の構造を有していなくとも、棒状体Ｒと被接続体Ｂとを、容易に接続することが可能となる。
【００６５】
また、第一本体１１と第二本体１２とが、連結部１３により分離可能に連結して挿通孔Ｈを形成することで、使用者は、接続部材Ｘを、棒状体Ｒの所望の箇所に、直接取付けることが可能となる。
【００６６】
また、当接部１４により、接続部材本体１を、棒状体Ｒに安定的に位置決めすることが可能となる。
【００６７】
また、当接部１４が第一本体１１に対して着脱可能に取付けられることで、当接部１４が摩耗により劣化した場合でも、容易に新しい当接部１４に交換することが可能となる。
【００６８】
また、嵌合突起１３ａと嵌合溝嵌合突起１３とにより、第一本体１１と第二本体１２との連結状態を安定的に維持することが可能となる。
【００６９】
また、嵌合突起１３ａが、レール状に構成された嵌合溝１３ｂに嵌合摺動することで、少ない力でもって、容易に第一本体１１と第二本体１２とを連結することが可能となる。
【００７０】
また、嵌合溝１３ｂに設けられたストッパー部Ｗにより、棒状体Ｒに対する接続部材Ｘの取付け状態の安定性を向上させることができる。
【００７１】
また、突設部２１及び取付部本体２２により、取付部材Ｃが棒状体Ｒに干渉することなく、取付部２に被接続体Ｂを取付ける作業が容易となる。
【００７２】
また、補強リブ２３により、突設部２１の強度を高め、取付部２と被接続体Ｂとの取付け状態を安定的に維持することが可能となる。
【００７３】
なお、上述の実施形態において示した各構成部材の諸形状や寸法等は一例であって、設計要求等に基づき種々変更可能である。
【００７４】
例えば、本実施形態では、被接続体Ｂが板状体である例を示したが、被接続体Ｂを棒状体として、接続部材Ｘを棒状体同士の連結に用いることもできる。
【００７５】
また、本実施形態では、棒状体Ｒが四角柱状である例を示したが、接続部材Ｘは、円柱状や他の多角柱状の棒状体Ｒに対しても適用することができ、この場合、挿通孔Ｈの形状は、適用対象の棒状体Ｒの断面形状に応じて、適宜変更される。
【符号の説明】
【００７６】
Ｘ      接続部材
１      接続部材本体
１１    第一本体
１２    第二本体
１３    連結部
１３ａ  嵌合突起溝
１３ｂ  嵌合溝
Ｗ      ストッパー部
１４    当接部
Ｈ      挿通孔
２      取付部
２１    突設部
２２    取付部本体
２３    補強リブ
３      固定部
３１    貫通孔
３２    固定ハンドル部
３３    ナット
Ｒ      棒状体
Ｂ      被接続体
Ｃ      取付部材
【図１】
0003235136.tif 000003
【図２】
0003235136.tif 000004
【図３】
0003235136.tif 000005
【図４】
0003235136.tif 000006
【図５】
0003235136.tif 000007
【図６】
0003235136.tif 000008